(57)【要約】【課題】多角形の制光体を多角形の器具本体に容易に位置合わせして取付けることができる照明器具を提供する。【解決手段】天井Ｆに設置される多角形の器具本体２と、この本体の各隅部に取付けられたセードホルダ11と、器具本体２と対応する多角形をなしセードホルダ11に着脱されるセード31と、ストッパ部13を具備する。セードホルダ11は、器具本体２から下向きに突出したホルダ本体部12、及び受け部を有して本体部12に連続したホルダ部14を備える。セード31は開口壁33及びフック部34を備える。ストッパ部13はセードを回転させて器具本体に取付ける際にフック部34を受け部に位置決めする。開口壁33は多角形状の取付け開口32を形成し、この開口の各隅部は斜状部を有する。フック部34を各斜状部の一端に連続して設ける。これらフック部34を、器具本体２に対するセード31の回転で受け部に引っ掛けている。【選択図】      図１
2006310203.tif 000002
【特許請求の範囲】
【請求項１】
器具本体と；
この器具本体から下向きに突出したホルダ本体部、及び受け部を有して前記ホルダ本体部に連続したホルダ部を備えた制光体ホルダと；
多角形状をなしその各隅部に前記制光体ホルダが個別に配置される取付け開口を形成するとともに、前記各隅部が斜状部を有した開口壁、及び前記各斜状部の一端に連続して設けられ前記受け部に引っ掛かるフック部を備えて、前記器具本体に対する取付け時の回転で前記フック部が前記受け部に至る制光体と；
この制光体を回転させて前記器具本体に取付ける際に前記フック部を前記受け部に位置決めするストッパ手段と；
を具備したことを特徴とする照明器具。
【請求項２】
天井に設置される多角形の器具本体と；
この器具本体から下向きに突出したホルダ本体部、及び受け部を有して前記ホルダ本体部に連続したホルダ部を備えて、前記器具本体の各隅部に取付けられた制光体ホルダと；
多角形状の取付け開口を形成するとともに前記制光体ホルダが個別に配置される前記取付け開口の各隅部が斜状部を有した開口壁、及び前記各斜状部の一端に連続して設けられ前記受け部に引っ掛かるフック部を備えて、前記器具本体と対応する多角形をなすとともに、前記器具本体に対する取付け時の回転で前記フック部が前記受け部に至る制光体と；
この制光体を回転させて前記器具本体に取付ける際に前記フック部を前記受け部に位置決めするストッパ手段と；
を具備したことを特徴とする照明器具。
【請求項３】
前記多角形が偶数の隅部を有していて、前記各制光体ホルダを、前記器具本体の対角線に対して前記制光体の回転方向上流側にずらして配置したことを特徴とする請求項２に記載の照明器具。
【請求項４】
前記フック部の最大幅よりも狭い間隙を前記受け部との間に形成するばね部材を、前記ホルダ本体部に設けたことを特徴とする請求項１から３の内のいずれか一項に記載の照明器具。
【発明の詳細な説明】
【技術分野】
【０００１】
本発明は、器具本体に着脱可能に取付けられるセードなどの制光体が四角形状等の多角形状をなす照明器具に関する。
【背景技術】
【０００２】
従来、天井に直付けされる丸形の照明器具で、器具本体の周部三箇所にセード取付け装置を設けるとともに、セードの周部に三箇所に受け具を設けて、このセードの開口している上方を器具本体に当接させた状態でセードを回わして、受け具をセード取付け装置に係合させることにより、セードを器具本体に装着し、この逆にセードを回すことにより受け具をセード取付け装置から外して、セードを器具本体から取外す技術が知られている（例えば、特許文献１参照。）。
【０００３】
又、天井に直付けされる四角形の照明器具で、器具本体の四隅に呼び込みガイドを突設し、器具本体の互いに平行な二辺にグローブ支持具を取付けて、グローブの四隅を呼び込みガイドで位置決めしつつ、このグローブを器具本体に押付けることによって、グローブをグローブ支持具で取付ける技術が知られている（例えば、特許文献２参照。）。
【特許文献１】特開平１０−７４４１４号公報（段落0088−0094、図１９−図２２）
【特許文献２】特開平８−４５３２２号公報（段落0007−0010、図１−図４）
【発明の開示】
【発明が解決しようとする課題】
【０００４】
特許文献１の照明器具で、セードを器具本体に押付けて取付ける際は、丸形の照明器具と丸形のセードでは、器具本体に対するセードの取付けの方向性は特段配慮しなくてよいが、丸形の器具本体の周部に設けられた取付け装置よりも、同じく丸形のセードの取付け開口の周部の受け具が内側となるように配設しなければならないものである。これにより、取付け装置や受け具が作業者から見えなくなるので、容易に位置合わせすることが困難であり、セードの取付けに手間が掛かる場合がある。
【０００５】
又、特許文献２の技術は、呼び込みガイドによりグローブの四隅を位置合わせできるので、グローブを器具本体に取付け易い点で好ましい。しかし、特許文献２には、グローブを器具本体に取付けるグローブ支持具の構成は、一切記載されていない。このため、器具本体にどのようにしてグローブが着脱されるのか不明である。
【０００６】
一般的に、天井直付け形照明器具では、不用意に器具本体に取付けられたセードやグローブが不用意に落下しないように配慮する必要があり、器具が大きくなってセード等の重量が増えるほど落下の恐れが高くなる。こうした点について特許文献２の照明器具では、十分な信頼性があるかどうか不明である。
【０００７】
本発明の目的は、多角形の制光体を多角形の器具本体に容易に位置合わせして取付けることができる照明器具を提供することにある。
【課題を解決するための手段】
【０００８】
前記課題を解決するために、請求項１の発明は、器具本体と；この器具本体から下向きに突出したホルダ本体部、及び受け部を有して前記ホルダ本体部に連続したホルダ部を備えた制光体ホルダと；多角形状をなしその各隅部に前記制光体ホルダが個別に配置される取付け開口を形成するとともに、前記各隅部が斜状部を有した開口壁、及び前記各斜状部の一端に連続して設けられ前記受け部に引っ掛かるフック部を備えて、前記器具本体に対する取付け時の回転で前記フック部が前記受け部に至る制光体と；この制光体を回転させて前記器具本体に取付ける際に前記フック部を前記受け部に位置決めするストッパ手段と；を具備したことを特徴としている。
【０００９】
この発明及び以下の発明で、多角形とは４角形以上を指しており、その隅部の数は偶数であることが好ましい。この発明及び以下の発明で、取付け開口の隅部が有する斜状部は、開口壁の隣接する二つの開口辺を斜状につないだ壁部で形成することができ、或いは前記二つの開口辺は直角に連続しているが、この二つの開口辺で挟まれる角を取付け開口から覆って前記二つの開口辺にわたって設けたブリッジ状の壁部で形成することもできる。これとともに、斜状部の取付け開口に臨んだ側面は平面であっても湾曲面であっても良い。又、この発明及び以下の発明で、制光体には、例えばセード、グローブ、カバー、及びバッフルなどが含まれる。更に、この発明及び以下の発明で、ストッパ手段は、制光体ホルダと一体に設けることが好ましいが、器具本体に制光体を回転させて取付ける際に所定の回転位置で制光体が当たるストッパ部材を器具本体に突設し、このストッパ部材をストッパ手段とすることも可能である。
【００１０】
請求項１の発明で、器具本体に制光体を取付けるには、まず、天井に固定された器具本体に突設した制光体ホルダに制光体の多角形状開口の各隅部を対向させて、制光体を押上げる。これにより、制光体ホルダが取付け開口の各隅部の内側に接するように夫々配置されるとともに、取付け開口のフック部が、ホルダ部の側方にずれた位置でこのホルダ部より高い位置に配置される。次に、制光体ホルダにフック部が近づく方向に沿って制光体を器具本体に対し回転させる。この回転は、取付け開口の各隅部が有した斜状部によって許容され、所定の回転位置に達した時にストッパ手段が機能して制光体の回転が停止される。この状態で、制光体から手を離すことにより、フック部がホルダ部の受け部に上方から引っ掛かって、制光体が器具本体に取付けられる。又、この取付けと逆に、はじめに制光体を押上げてから回転させた後に、制光体を引き下げることで、この制光体を器具本体から外すことができる。
【００１１】
この照明器具は、以上のように器具本体に制光体を押付けながら回転させることに基づいて、器具本体に設けた制光体ホルダの受け部に、制光体に設けたフック部を引っ掛けて、器具本体に制光体を取付けるので、制光体の多角形状をなした取付け開口の隅部と器具本体に突設した制光体ホルダとを容易に位置合わせして、器具本体に制光体を取付けることができる。
【００１２】
又、前記課題を解決するために、請求項２の発明は、天井に設置される多角形の器具本体と；この器具本体から下向きに突出したホルダ本体部、及び受け部を有して前記ホルダ本体部に連続したホルダ部を備えて、前記器具本体の各隅部に取付けられた制光体ホルダと；多角形状の取付け開口を形成するとともに前記制光体ホルダが個別に配置される前記取付け開口の各隅部が斜状部を有した開口壁、及び前記各斜状部の一端に連続して設けられ前記受け部に引っ掛かるフック部を備えて、前記器具本体と対応する多角形をなすとともに、前記器具本体に対する取付け時の回転で前記フック部が前記受け部に至る制光体と；この制光体を回転させて前記器具本体に取付ける際に前記フック部を前記受け部に位置決めするストッパ手段と；を具備したことを特徴としている。
【００１３】
請求項２の発明で、器具本体に制光体を取付けるには、まず、天井に固定された器具本体の各隅部に制光体の各隅部を対向させて、制光体を押上げる。これにより、制光体ホルダが取付け開口の各隅部の内側に接するように夫々配置されるとともに、取付け開口のフック部が、ホルダ部の側方にずれた位置でこのホルダ部より高い位置に配置される。次に、制光体ホルダにフック部が近づく方向に沿って制光体を器具本体に対し回転させる。この回転は、取付け開口の各隅部が有した斜状部によって許容され、所定の回転位置に達した時にストッパ手段が機能して制光体の回転が停止される。この状態で、制光体から手を離すことにより、フック部がホルダ部の受け部に上方から引っ掛かって、制光体が器具本体に取付けられる。又、この取付けと逆に、はじめに制光体を押上げてから回転させた後に、制光体を引き下げることで、この制光体を器具本体から外すことができる。
【００１４】
この照明器具は、以上のように多角形の器具本体に多角形の制光体を押付けながら回転させることに基づいて、器具本体の各隅部に突設された制光体ホルダの受け部に、制光体の隅部に設けたフック部を引っ掛けて、器具本体に制光体を取付けるので、多角形の制光体を多角形の器具本体に容易に位置合わせして器具本体に制光体を取付けることができる。
【００１５】
請求項３の発明は、前記多角形が偶数の隅部を有していて、前記各制光体ホルダを、前記器具本体の対角線に対して前記制光体の回転方向上流側にずらして配置したことを特徴としている。
【００１６】
この発明では、器具本体への制光体の取付けに際して、器具本体の対角線からずれた位置を始点として制光体が回転操作されて器具本体に取付けられる。これにより、器具本体に制光体が取付けられた状態では、前記回転操作によって器具本体と制光体の隅部が互いにずれることがなくなり、それらの隅部を適正に合致させることができる。
【００１７】
請求項４の発明は、前記フック部の最大幅よりも狭い間隙を前記受け部との間に形成するばね部材を、前記ホルダ本体部に設けたことを特徴としている。
【００１８】
この発明では、制光体を回転させてそのフック部を制光体ホルダに引っ掛けた時に、フック部がばね部材を一旦弾性変形させながらこのばね部材と受け部との間の間隙を通過する。この通過後に、ばね部材は元の位置に戻ってフック部の最大幅より狭い間隙を受け部との間に再び形成する。そのため、ホルダ部の受け部から上方に離れたフック部が制光体ホルダから外れることを、ばね部材によって抑制できる。
【発明の効果】
【００１９】
請求項１の発明によれば、器具本体に設けた制光体ホルダに、多角形をなした開口壁を有した制光体の器具本体に対する回転操作により、この制光体の隅部を制光体ホルダに引っ掛けて器具本体に制光体を取付けたので、制光体の多角形状の取付け開口の隅部と器具本体に突設した制光体ホルダとを容易に位置合わせして、器具本体に制光体を取付けることができる照明器具を提供できる。
【００２０】
請求項２の発明によれば、多角形の器具本体の隅部に設けた制光体ホルダに、器具本体に対する多角形の制光体の回転操作により、この制光体の隅部を制光体ホルダに引っ掛けて器具本体に制光体を取付けたので、多角形の制光体の多角形状の取付け開口の隅部と多角形の器具本体に突設した制光体ホルダとを容易に位置合わせして、制光体を器具本体に取付けることができる照明器具を提供できる。
【００２１】
請求項３の発明によれば、制光体を回転させて器具本体に取付けるにも拘わらず、器具本体の隅部と制光体の隅部とを適正に合致させて、器具本体に制光体を取付けることができる。
【００２２】
請求項４の発明によれば、制光体ホルダに引っ掛かっているフック部が、制光体ホルダの受け部から外れることをばね部材が抑制するので、器具本体に取付けられた制光体の不用意な落下を抑制できる。
【発明を実施するための最良の形態】
【００２３】
図１〜図７を参照して本発明の一実施形態を説明する。
【００２４】
図１中符号１は天井Ｆに直付けされる照明器具を示している。この照明器具１は、器具本体２と、複数の制光体ホルダ例えばセードホルダ１１と、制光体例えばセード３１とを具備している。
【００２５】
器具本体２は、金属製からなり、四角形例えば図２に示すように正方形に形成されている。この器具本体２は図１に示すように天井Ｆに沿って固定される。この場合、器具本体２は、その四隅を、照明器具１が設置される部屋の四隅に向けた姿勢で天井Ｆに取付けられる。
【００２６】
器具本体２の下面は反射面となっている。器具本体２の中央部には電源線引き込み孔３が開けてあり、その周囲に図示しない点灯装置や端子台等が取付けられる。器具本体２の下面には、ランプホルダ４及び図示しないランプソケットにより光源例えば蛍光ランプ５が着脱可能に支持されている。蛍光ランプ５は四角環状に形成されていて、器具本体２の各辺に平行となるように配置されている。
【００２７】
図３に示すようにセードホルダ１１は器具本体２の四つの隅部２ａに夫々下向きに突設されている。詳しくは、後述のように回転操作されるセード３１の回転方向上流側に、器具本体２の対角線Ａ又はＢに対して所定角度ずらして配置されている（図２参照）。このずらし角度（オフセット角度）は１０度未満であり、例えば（３±１）度の角度範囲に設定されている。
【００２８】
セードホルダ１１は、容易に変形しない強度を有した厚手の金属板を折り曲げてなる。このセードホルダ１１は、図３及び図７等に示されるようにホルダ本体部１２と、ストッパ手段として例えばストッパ部１３と、ホルダ部１４と、及びばね部材１５とを備えている。
【００２９】
ホルダ本体部１２は、器具本体２の隅部２ａにねじ１７で固定されるベース１２ａを有している。このベース１２ａの裏面は隅部２ａの下面から少し離れている。なお、図３中符号１８はスペーサを示している。このスペーサ１８は隅部２ａの一部を膨出させて一体形成することもできる。又、図３中符号１９は隅部２ａに開口された孔を示しており、この孔１９にベース１２ａの折り曲げ辺１２ｂを入り込ませて、ベース１２ａをねじ止めする際のベース１２ａの回転止めをなしている。
【００３０】
ストッパ部１３はホルダ本体部１２に対して直角状に折れ曲がって連続している。ホルダ部１４は、ベース１２ａと対向するとともにホルダ本体部１２及びストッパ部１３に対して直角状に折れ曲がって形成されている。
【００３１】
このホルダ部１４は、図７に示すように段部である段差１４ａを境として上向き凸部１４ｂと受け部１４ｃとを有している。受け部１４ｃはストッパ部１３に近付けて配置され、上向き凸部１４ｂはストッパ部１３から離れて配置されている。受け部１４ｃは上向き凸部１４ｂより低い位置に設けられている。したがって、上向き凸部１４ｂとストッパ部１３との間に、受け部１４ｂを底壁として向きに開放したホルダ凹部１６が形成されている。本実施形態では上向き凸部１４ｂを後述するガイド２５の一部を利用して形成してあるが、これに代えて、ホルダ部１４を曲げ加工して上向き凸部１４ｂを一体に形成しても良い。
【００３２】
セードホルダ１１は、より好ましい例として金属製のカバー板２１を有している。このカバー板２１は、ホルダ凹部１６及び上向き凸部１４ｂを上側から覆って取付けられている。カバー板２１は、それが積層されたストッパ部１３等に溶接やねじ止め等により固定されている。
【００３３】
ばね部材１５には金属製の板ばねが用いられている。図３及び図７に示すようにばね部材１５はＵ字状部１５ａ及びばねベース１５ｂを有している。ばね部材１５は、ベース１２ａに開けた孔２０を貫通し、そのばねベース１５ｂをベース１２ａの裏面に沿わせてベース１２ａに固定されている。それにより、ばね部材１５のＵ字状部１５ａが、上向き凸部１４ｂにその上方から接近して配置されていて、これらの上向き凸部１４ｂとＵ字状部１５ａとの間に間隙Ｇが形成されている。この間隙Ｇは、後述するフック部３４の最大幅よりも狭く、セードホルダ１１に対する後述のフック部３４の出入り口として機能する。
【００３４】
セードホルダ１１は、対角線Ａ又はＢに対して間隙Ｇよりストッパ部１３が近づくとともに、ストッパ部１３及びホルダ部１４が隅部２ａの外側に向けてホルダ本体部１２に対して突出する姿勢で、既述のように隅部２ａに取付けられている。
【００３５】
なお、本実施形態では、４個のセードホルダ１１の全てにばね部材１５を設けたが、対角上に配置された少なくとも一組のセードホルダにだけばね部材を設け、他のセードホルダ例えば対角線Ｂに近い位置に配置されるセードホルダ１１についてはばね部材１５を省略しても良い。
【００３６】
各セードホルダ１１には下向き突出するガイド２５が夫々連結されている。なお、これらのガイドは、セードホルダ１１とは別に器具本体２にその各辺と対応して設置することもできるが、セードホルダ１１に連結することで、器具本体２に対する取付け部品数を減らすことができる点で好ましい。
【００３７】
ガイド２５は第１のガイド面２５ａと第２のガイド面２５ｂとを有して角錐状に形成されている。第１のガイド面２５ａは器具本体２に対するセード３１を中心合わせのために機能する。第２のガイド面２５ｂは、セード３１が回転方向に位置ずれして器具本体２に押付けられる場合に、前記位置ずれを修正してセード３１を所定の位置から回転させるために機能する。
【００３８】
図３、図６、図７に示すようにガイド２５は、例えば合成樹脂製、好ましくはアクリル樹脂等のような透光性合成樹脂で形成すると良い。これにより、セードホルダ１１の影がセードに影となって映ることを抑制できる。なお、ガイド２５とセードホルダ１１を同一材料として、これらを一体に形成することも可能である。
【００３９】
図７に示すようにガイド２５の上端部にはホルダ部１４のストッパ部１３から遠ざかって位置した方の端部が埋め込み固定されている。それにより、ガイド２５がセードホルダ１１に連結されているとともに、前記埋め込み部分によって前記上向き凸部１４ｂが形成されている。図７などに示すように上向き凸部１４ｂは第２のガイド面２５ｂと逆向きに傾斜する斜状面を有している。
【００４０】
セード３１は、透光性、好ましくは光を拡散しつつ透過させる乳白色の合成樹脂の成形体である。セード３１は、器具本体２の形状に応じて、この器具本体２より一回り大きい四角形状に形成されている（図４参照）。セード３１の上端部には取付け開口３２を形成する開口壁３３が一体に形成されている。
【００４１】
取付け開口３２及び開口壁３３は、セード３１の外形より小さく、器具本体２の多角形状に対応する多角形状例えば四角形状をなしている。図４に示すように開口壁３３の四つの隅部は、開口壁３３の隣接する二つの壁部にわたる斜状部３３ａを備えて形成されている。この斜状部３３ａの長さＬは、器具本体２に対するセード３１の取付けに要する回転角度を大きくする場合に長く設定され、この逆に回転角度を小さくする場合に短く設定される。前記取付けの回転角度は前記オフセット角度に等しい。
【００４２】
図４〜図６に示すように開口壁３３の内面には斜状部３３ａの一端部に夫々連続してフック部３４が一体に形成されている。これらのフック部３４のヘッド３４ａの高さ方向の幅は間隙Ｇより大きい。これらのフック部３４をホルダ凹部１６に引っ掛けることによってセード３１が器具本体２に取付けられている。
【００４３】
なお、図１、図４、及び図５中符号３５は防虫パッキンを示している。防虫パッキン３５は、弾性変形が可能な発泡ウレタンなどからなり、開口壁３３の外周に沿って取付けられている。図１に示すようにセード３１が器具本体２に取付けられた状態で、防虫パッキン３５は圧縮された状態に器具本体２とセード３１との間に挟持される。
【００４４】
天井Ｆに設置された器具本体２の下面にセード３１を取付けるには、セード３１を器具本体２に押付けて回転させるという簡単な手順で、セード３１の四隅を器具本体２の四隅に合わせてセードホルダ１１により確実に取付けることができる。
【００４５】
すなわち、天井Ｆに設置された器具本体２の下面にセード３１を取付けには、まず、セード３１の取付け開口３２を上向きにし、このセード３１の四隅を器具本体２の四隅に対向させてから、セード３１を押上げて防虫パッキン３５を器具本体２に押付ける。この場合、四角形の器具本体２の四隅を目安として同じく四角形のセード３１の四隅を合わせて、セード３１を押上げればよいので、押上げる際の位置合わせが容易である。
【００４６】
この押上げ操作に伴い、図６に示すようにセード３１の開口壁３３の四隅の内側に接するように、器具本体２の四隅に取付けられたセードホルダ１１が夫々通される。この場合、セード３１の少なくとも一つの斜状部３３ａが、セードホルダ１１に取付けられたガイド２５の第１のガイド面２５ａに導かれて、器具本体２の中心にセード３１の中心が合わされる。同時に、前記押上げ操作の時にセード３１が回転方向に位置ずれして器具本体２に押付けられた場合には、フック部３４がガイド２５の第２のガイド面２５ｂに導かれて、前記位置ずれが消失するように修正される。
【００４７】
これにより、フック部３４が、取付け開口３２の各隅部に夫々配置されたセードホルダ１１のホルダ部１４の側方にずれた位置でこのホルダ部１４より高い位置に配置されて、セードホルダ１１の間隙Ｇにフック部３４が対向される。
【００４８】
次に、器具本体２に押付けられ略水平状態を保持したたままのセード３１を、回転できる方向（図６に矢印で回転方向を示す。）に回転させる。これは、斜状部３３ａにセードホルダ１１が既述のように配置されることにより、フック部３４が無い方の角３３ｂ（この角は、開口壁３３の開口辺と斜状部３３ａとが形成しているなし。）とセードホルダ１１との接触により、図６中反時計回りのセード３１の回転が妨げられ、この逆に図６中時計回りのセード３１の回転のみが許されることによる。又、この場合のセード３１の回転は、開口壁３３の隅部に面取りとしての斜状部３３ａを設けたことにより許されている。
【００４９】
こうしたセード３１の回転に伴い、フック部２３がストッパ部１３に向けて移動する。したがって、始めに、図７中実線で示すようにフック部３４がばね部材１５を押して弾性変形させながら、上向き凸部１４ｂを超えて間隙Ｇを通過し、その直後にストッパ部１３で動きを止められる。これにより、セード３１の回転操作が妨げられて、フック部３４がホルダ凹部１６の真上に配置される。
【００５０】
この場合、既述のようにフック部３４が間隙Ｇを通過すると同時に、ばね部材１５がその弾性力により元の位置に急激に戻されて、ばね部材１５が孔２０の縁２０ａ（図７参照）等に衝突する。これに伴う発音とストッパ部１３によるセード３１の回り止めとによって、作業者はセード３１が適正位置に回転されたことを容易に確認できる。
【００５１】
この段階で、作業者がセード３１から手を離すので、セード３１がその自重により僅かに下がるとともに、フック部３４がホルダ凹部１６の底面をなした受け部１４ｃにカバー板２１を介して上方から引っ掛かる。この状態を図７中二点鎖線で示す。これにより、器具本体２へのセード３１の取付け作業が完了する。なお、この場合のセード３１の下降は僅かであり、防虫パッキン３５の挟持状態が損なわれることがない。
【００５２】
この取付けにおいては、既述のようにセード３１がオフセット角度だけ回転操作されることにより、取付け完了状態で器具本体２とセード３１の隅部が互いにずれることがなくなり、それらの隅部が適正に合致される。したがって、セード３１の四隅を部屋の四隅に合わせて、体裁よくセード３１を器具本体２に対して配置できる。
【００５３】
セード３１が器具本体２に取付けられた状態では、既述のようにフック部３４がセードホルダ１１のホルダ部１４に引っ掛かっているので、ばねで押されるラッチを用いて引っ掛かり状態を保持する構成に比較して、セード３１を器具本体２に支持する信頼性が高い。これにより、セード３１の重量が大きくても、落下する恐れがなくセード３１を支持できる。
【００５４】
更に、器具本体２に取付けられたセード３１に、そのフック部３４が間隙Ｇから抜け出る方向の回転力が作用した場合、受け部１４ｃと上向き凸部１４ｂとの境をなす段差１４ａに、フック部３４のヘッド３４ａが直ちに当たって、それ以上、外れ方向にセード３１が回転することが抑制される。このため、ヘッド３４ａが間隙Ｇを通って上向き凸部１４ｂを乗り越えて、セード３１が脱落することを抑制できる。
【００５５】
しかも、金属製のカバー板２１がホルダ凹部１６及び上向き凸部１４ｂを覆っているので、合成樹脂製のガイド２５が蛍光ランプ５の光で劣化した場合にも、外れ方向へのセード３１の回転止めをカバー板２１で維持できる。この点でも、セード３１の脱落抑制の信頼性が高い。なお、加えて、フック部３４を金属板でカバーする場合には、金属対金属の当たりでセード３１の外れ方向の回転が抑制されるので、セード３１の外れ止めの信頼性を更に高めることが可能である。
【００５６】
その上、元の位置に戻ったばね部材１５は上向き凸部１４ｂとの間にフック部３４の最大幅をなすヘッド３４ａより狭い間隙Ｇを形成するため、このばね部材１５においても、ホルダ部１４の受け部１４ｃから上方に離れたフック部３４が上向き凸部１４ｂを乗り越えてセードホルダ１１から外れることを抑制できる。したがって、この点でも、セード３１の外れ止めの信頼性を更に高めることが可能である。
【００５７】
又、ランプ交換などでセード３１を器具本体２から外す場合には、セード３１を若干押上げなら前記取付けの場合と逆に回転させ、この回転が妨げられた段階でセード３１を引き下げればよい。
【００５８】
つまり、防虫パッキン３５を圧縮させながらセード３１を押上げることにより、ホルダ凹部１６からフック部３４を外して、このフック部３４が段差１４ａに引っ掛からないようにできる。この状態でのセード３１の回転操作により、フック部３４がばね部材１５を弾性変形させながら間隙Ｇを通過し、その結果、図６に示す状態で回転が止められるので、セード３１を引き下げて器具本体２から外すことができる。
【００５９】
セード３１を外す以上の手順によれば、セード３１の平行な二辺の外側から、フック部３４をセードホルダ１１から外すための解放用部材を要しないので、セード３１の両側面から解放用部材が突出して照明器具１の外観を損なうことがない。これとともに、セード３１の両側面に手を回して解放用部材を操作する必要がないので、セード３１が大きい場合でも、このセードを既述の操作で容易に外すことが可能である。
【００６０】
図８〜図１０を参照して他の実施形態を説明する。
【００６１】
図１０中符号１１１は天井Ｆに直付けされる照明器具を示している。この照明器具１１１は、器具本体１１２と、複数の制光体ホルダ例えばセードホルダ１２１と、制光体例えばセード１３１とを具備している。
【００６２】
器具本体１１２は、金属製からなり、四角形例えば図８に示すように正方形に形成されている。この器具本体１１２は図１０に示すように天井Ｆに沿って固定される。この場合、器具本体１１２は、その四隅を、照明器具１１１が設置される部屋の四隅に向けた姿勢で天井Ｆに取付けられる。
【００６３】
器具本体１１２の下面は反射面となっている。器具本体１１２の中央部には電源線引き込み孔１１３が開けてあり、その周囲に図示しない点灯装置や端子台等が取付けられる。器具本体１１２の下面には、図示しないランプソケット及びランプホルダにより光源例えば蛍光ランプ１１４（図１０参照）が着脱可能に支持されている。蛍光ランプ１１４は四角環状に形成されていて、器具本体１１２の各辺に平行となるように配置されている。
【００６４】
図８に示すようにセードホルダ１２１は器具本体１１２の四つの隅部１１２ａに夫々下向きに突設されている。図１０に示すようにセードホルダ１２１は、ホルダベース１２２と、ガイド１２３と、付勢体例えばばね１２４とを備えている。
【００６５】
ホルダベース１２２は、通孔１２２ａを有した箱状をなしていて、その通孔１２２ａを下方に向けて隅部１１２ａに固定されている。
【００６６】
ガイド１２３は通孔１２２ａを遊挿していて、そのホルダベース１２２内に位置した上端部が枢軸１２５を介して回動自在にホルダベース１２２に取付けられている。ガイド１２３は枢軸１２５を中心に器具本体１１２の対角線方向に沿って回動可能である。このガイド１２３のホルダベース１２２から突出した部分には、斜状のガイド面１２３ａとこの上端から水平状に折れ曲がるように連続した係止面１２３ｂと有している。したがって、ガイド１２３はラッチを兼ねている。
【００６７】
ガイド１２３は、例えば合成樹脂製、好ましくはアクリル樹脂等のような透光性合成樹脂で形成されている。これにより、ガイド１２３の影がセード１３１に影となって映ることを抑制できる。このガイド１２３は、ホルダベース１２２に内蔵されたばね１２４によって図１０中矢印方向に付勢されている。
【００６８】
セード１３１は、透光性、好ましくは光を拡散しつつ透過させる乳白色の合成樹脂の成形体である。セード１３１は、器具本体１１２の形状に応じて、この器具本体１１２より一回り大きい四角形状に形成されている。図９に示すようにセード１３１の上壁部１３１ａには取付け開口１３２を形成する開口壁１３３が一体に形成されている。
【００６９】
取付け開口１３２及び開口壁１３３は、セード１３１の外形より小さく、器具本体１１２の多角形状に対応する多角形状例えば四角形状をなしている。図１０に示すように開口壁１３３は、下向きに折れ曲がってセード１３１内に突出されている。なお、図１０中１３３ａは補強リブを示している。補強リブ１３３ａは開口壁１３３に対して多数箇所に設けられていて、開口壁１３３の変形を抑制するために設けられている。又、図１０中符号１３５は防虫パッキンを示している。
【００７０】
この照明器具１１１で、天井Ｆに装着された器具本体１１２にセード１３１を取付けるには、器具本体１１２の四隅にセード１３１の四隅を合わせてから、このセード１３１を押上げるだけでよい。それにより、相対的に、セード１３１の開口壁１３３の円弧状をなした四つの隅部１３３ｃの内側にセードホルダ１２１のガイド１２３が夫々挿入されるようになるので、それに伴いガイド１２３のガイド面１２３ａが開口壁１３３の隅部１３３ｃで押されて、ガイド１２３がばね１２４の付勢力に抗して図１０中二点鎖線で示すように傾けられる。やがて、開口壁１３３の隅部１３３ｃがガイド面１２３ａの上方に外れると同時に、ばね１２４でガイド１２３が押し戻されるので、図１０に示すように開口壁１３３がガイド１２３の係止面１２３ｂに上側から引っ掛かる。
【００７１】
以上の取付け作業では、四角形の器具本体１１２の四隅を目安として同じく四角形のセード１３１の四隅を合わせて、セード１３１を単に押上げればよいので、押上げる際の位置合わせが容易であるとともに、取付け作業が非常に単純である。
【００７２】
器具本体１１２に取付けられたセード１３１の開口壁１３３が、何らかの事情でホルダベース１２２の対向壁１２２ｂ（図１０参照）に当たっても、それ以上、ガイド１２３が開口壁１３３で押されることがない。こうしたホルダベース１２２のストッパ作用によって、開口壁１３３がガイド１２３の係止面１２３ｂから不用意に外れることが抑制される。
【００７３】
又、器具本体１１２に取付けられたセード１３１を外す場合には、セード１３１を引き下げればよい。それにより、セード１３１の上壁部１３１ａの多少の変形を伴いながら係止面１２３ｂに下向きに加えられる力によって、ガイド１２３が図１０中二点鎖線で示すように傾けられて、セード１３１を引き外すことができる。
【００７４】
したがって、図８〜図１０に示した実施形態でも、四角形のセード１３１の四隅を同じく四角形の器具本体１１２の四隅に容易に位置合わせして、セード１３１を器具本体１１２に取付けることができるとともに、取付けられたセード１３１の不用意な落下を抑制できる。
【図面の簡単な説明】
【００７５】
【図１】本発明の一実施形態に係る照明器具を示す断面図。
【図２】図１の照明器具の器具本体を示す下面図。
【図３】図２中Ｆ３部を拡大して示す斜視図。
【図４】図１の照明器具のセードを示す上面図。
【図５】図４中Ｆ５部を拡大して示す斜視図。
【図６】図１の照明器具で器具本体の隅部にセードの隅部が位置決めされた状態を示す斜視図。
【図７】図１の照明器具で器具本体の隅部にセードのフック部が挿入されつつある状況を示す断面図。
【図８】本発明の他の実施形態に係る照明器具の器具本体を示す下面図。
【図９】図８の照明器具のセードを示す上面図。
【図１０】図８の照明器具の隅部を拡大して示す断面図。
【符号の説明】
【００７６】
Ｆ…天井、１…照明器具、２…器具本体、２ａ…器具本体の隅部、Ａ，Ｂ…対角線、１１…セードホルダ(制光体ホルダ)、１２…ホルダ本体部、１３…ストッパ部（ストッパ手段）、１４…ホルダ部、１４ａ…段差（段部）、１４ｂ…上向き凸部、１４ｃ…受け部、１５…ばね部材、Ｇ…隙間、３１…セード、３２…取付け開口、３３…開口壁、３３ａ…斜状部、３４…フック部、３４ａ…フック部のヘッド
【図１】
2006310203.tif 000003
【図２】
2006310203.tif 000004
【図３】
2006310203.tif 000005
【図４】
2006310203.tif 000006
【図５】
2006310203.tif 000007
【図６】
2006310203.tif 000008
【図７】
2006310203.tif 000009
【図８】
2006310203.tif 000010
【図９】
2006310203.tif 000011
【図１０】
2006310203.tif 000012